(57)【要約】【課題】エンジンルーム内のラジエータよりも車両後方側領域を効率よく、かつ適切に冷却することが可能なエンジンルーム冷却構造を提供する。【解決手段】ラジエータグリル４の上部とラジエータサポート５の上部とを繋ぐように設けられ、かつラジエータグリル４とラジエータ５Ａとの相互間の第１の空間部７Ａの上側を仕切る仕切り板部６を、備えている、エンジンルーム冷却構造Ａであって、仕切り板部６は、第１の空間部７Ａに進入した第１の走行風がラジエータサポート５の上を越えて車両後方側に進行することを阻止する通風阻止部６ａと、第１の空間部７Ａに進入した第１の走行風の一部がラジエータサポート５の上を越えて車両後方側に進行することを可能とする通風路６０を、ラジエータサポート５の上側において車両後方側を向いて開口した状態に形成する通風路形成部６ｂと、を備えている。【選択図】  図２
2019064380.tif 000002
【特許請求の範囲】
【請求項１】
車両前部のエンジンルームの前側に設けられたラジエータグリルと、
このラジエータグリルの車両後方側に第１の空間部を隔てて位置するように、前記エンジンルーム内に設けられたラジエータおよびこれを支持するラジエータサポートと、
前記ラジエータグリルの上部と前記ラジエータサポートの上部とを繋ぐように設けられ、かつ前記第１の空間部の上側を仕切る仕切り板部と、
を備えている、エンジンルーム冷却構造であって、
前記仕切り板部は、
前記ラジエータグリルから前記第１の空間部に進入した第１の走行風が前記ラジエータサポートの上を越えて車両後方側に進行することを阻止する通風阻止部と、
前記第１の空間部に進入した前記第１の走行風の一部が前記ラジエータサポートの上を越えて車両後方側に進行することを可能とする通風路を、前記ラジエータサポートの上側において車両後方側を向いて開口した状態に形成する通風路形成部と、
を備えていることを特徴とする、エンジンルーム冷却構造。
【請求項２】
請求項１記載のエンジンルーム冷却構造であって、
前記エンジンルームを覆うフードと前記仕切り板部との相互間は、その車両前方側から進入する第２の走行風を前記ラジエータよりも車両後方側に進行させることが可能な第２の空間部とされており、
前記通風路形成部は、上面部が上向きに膨らんだ凸状面部とされ、かつ下面部が上向きに窪んだ凹状面部とされたビード状であり、
前記凹状面部は、前記ラジエータサポートの上面部上に位置していることにより、前記凹状面部の内側領域が、前記通風路とされており、
前記凸状面部は、前記第２の空間部に面している、エンジンルーム冷却構造。
【発明の詳細な説明】
【技術分野】
【０００１】
本発明は、自動車などの車両のエンジンルーム冷却構造に関する。
【背景技術】
【０００２】
エンジンルーム冷却構造の具体例として、特許文献１に記載の構造がある。
同文献に記載の構造においては、車両前部に設けられているラジエータグリルの最上部が、その車両後方側に位置するラジエータを支持するサポートの上部まで延設されている。この延設部は、ラジエータグリルとラジエータとの相互間の空間部の上側を仕切る仕切り板部となっている。このことにより、ラジエータグリルを通過して前記空間部に進入した走行風の多くをラジエータに通過させ、ラジエータ水を効率よく冷却することが可能である。
一方、エンジンルームを覆うフードと、前記した仕切り板部との間には、フードとラジエータグリルとの割線部から進入した走行風が通過するように構成されており、この走行風は、ラジエータよりも車両後方側に進行させることが可能である。したがって、エンジンルーム内のうち、ラジエータよりも車両後方側の領域を冷却することも可能である。
【０００３】
しかしながら、前記従来技術においては、次に述べるように、未だ改善すべき余地があった。
【０００４】
すなわち、前記した仕切り板部の前後寸法が長くされる車両においては、フードとラジエータグリルとの割線部から仕切り板部とフードとの相互間に進入した走行風が、減衰し易くなる。このため、前記割線部から進入した走行風をラジエータよりも車両後方側に多く、かつ効率的に届かせることが困難となる。これでは、ラジエータの車両後方側に設けられているエンジンの吸気系や排気系の装置・機器類を適切に冷却することができない。その結果、たとえば吸気温度の上昇による燃費悪化や、排気系の装置・機器類の熱害などが発生する虞がある。
【先行技術文献】
【特許文献】
【０００５】
【特許文献１】実開昭５６−３５４１８号公報
【発明の概要】
【発明が解決しようとする課題】
【０００６】
本発明は、前記したような事情のもとで考え出されたものであり、エンジンルーム内のラジエータよりも車両後方側領域を、効率よく、かつ適切に冷却することが可能なエンジンルーム冷却構造を提供することを、その課題としている。
【課題を解決するための手段】
【０００７】
上記の課題を解決するため、本発明では、次の技術的手段を講じている。
【０００８】
本発明により提供されるエンジンルーム冷却構造は、車両前部のエンジンルームの前側に設けられたラジエータグリルと、このラジエータグリルの車両後方側に第１の空間部を隔てて位置するように、前記エンジンルーム内に設けられたラジエータおよびこれを支持するラジエータサポートと、前記ラジエータグリルの上部と前記ラジエータサポートの上部とを繋ぐように設けられ、かつ前記第１の空間部の上側を仕切る仕切り板部と、を備えている、エンジンルーム冷却構造であって、前記仕切り板部は、前記ラジエータグリルから前記第１の空間部に進入した第１の走行風が前記ラジエータサポートの上を越えて車両
後方側に進行することを阻止する通風阻止部と、前記第１の空間部に進入した前記第１の走行風の一部が前記ラジエータサポートの上を越えて車両後方側に進行することを可能とする通風路を、前記ラジエータサポートの上側において車両後方側を向いて開口した状態に形成する通風路形成部と、を備えていることを特徴としている。
【０００９】
このような構成によれば、次のような効果が得られる。
すなわち、ラジエータグリルからこのラジエータグリルとラジエータとの相互間の第１の空間部に進入した第１の走行風の一部は、前記通風路を通過し、ラジエータを通過することなく車両後方側に進行する。ここで、前記通風路は、ラジエータサポートの上側において車両後方側を向いて開口しているため、この通風路からは、ラジエータから遠く離れた車両後方側の領域に対しても第１の走行風を適切に届かせることが可能となる。その結果、ラジエータよりもかなり車両後方側に位置するエンジンの吸気系や排気系の装置・機器類などをも効率よく冷却し、たとえば吸気温度を低下させることによる燃費向上、排気系の装置・機器類の熱害防止などを適切に図ることが可能である。
前記第１の空間部に、第１の走行風が進入した場合、ラジエータはその抵抗となり、第１の空間部内の風圧は高い状態となる。このため、第１の走行風の一部を、前記通風路に円滑に流入させることが可能である。
一方、第１の空間部の上側を仕切る仕切り板部は、第１の走行風が前記ラジエータサポートの上を越えて車両後方側に進行することを阻止する通風阻止部をも備えているため、ラジエータグリルから第１の空間部に進入した第１の走行風をラジエータに通過させることも適切に行なわれる。したがって、前記した通風路を設けたことに起因してラジエータに送り込まれる風量に不足を生じるといった不具合も回避することができる。
【００１０】
本発明において、好ましくは、前記エンジンルームを覆うフードと前記仕切り板部との相互間は、その車両前方側から進入する第２の走行風を前記ラジエータよりも車両後方側に進行させることが可能な第２の空間部とされており、前記通風路形成部は、上面部が上向きに膨らんだ凸状面部とされ、かつ下面部が上向きに窪んだ凹状面部とされたビード状であり、前記凹状面部は、前記ラジエータサポートの上面部上に位置していることにより、前記凹状面部の内側領域が、前記通風路とされており、前記凸状面部は、前記第２の空間部に面している。
【００１１】
このような構成によれば、フードと仕切り板部の相互間の第２の空間部に進入する第２の走行風を、エンジンルーム内のラジエータよりも車両後方側に進行させることができるために、ラジエータよりも後方側に位置する装置・機器類を、一層効率よく冷却し得ることは勿論のこと、これに加えて、次のような効果がさらに得られる。
すなわち、通風路形成部の上面部は、上向きに膨らんだ凸状面部とされ、かつ前記第２の空間部に面しているため、第２の走行風のうち、凸状面部に沿って流れる走行風の進行方向などを、凸状面部の形状や向きなどによってコントロールすることが可能となる。一方、通風路を通過する第１の走行風の進行方向などについては、通風路形成部の凹状面部の形状や向きなどによってコントロールすることが可能である。したがって、エンジンルーム内の車両後方側に存在する所望の機器・部品に対し、第１および第２の走行風の双方または一方を効率よく作用させるといったことを容易かつ適切に実現することができる。
また、前記構成によれば、通風路形成部は、仕切り板部にいわゆる上向き凸のビード状部分を設けることにより容易に形成することができるため、その製造コストを廉価にすることも可能である。
【００１２】
本発明のその他の特徴および利点は、添付図面を参照して以下に行なう発明の実施の形態の説明から、より明らかになるであろう。
【図面の簡単な説明】
【００１３】
【図１】本発明に係るエンジンルーム冷却構造の一例を示す要部平面図（フードを開けた状態）である。
【図２】（ａ）は、図１のIIa−IIa要部断面図であり、（ｂ）は、図１のIIb−IIb要部断面図である。
【図３】図１のIII−III要部断面図である。
【発明を実施するための形態】
【００１４】
以下、本発明の好ましい実施の形態について、図面を参照して具体的に説明する。
【００１５】
図１および図２に示すエンジンルーム冷却構造Ａは、車両Ｖの前部に設けられ、かつエンジンＥを収容するエンジンルーム１、このエンジンルーム１の上面部を塞ぐためのフード２、フロントバンパ３、ラジエータグリル４、ラジエータ５Ａ、ラジエータサポート５、および仕切り板部６を備えている。仕切り板部６は、後述する通風阻止部６ａおよび通風路形成部６ｂを備えている。
【００１６】
ラジエータグリル４は、車両走行時にエンジンルーム１内に走行風（第１の走行風）を取り込むための複数のグリル開口部４０を有するものであり、たとえばフロントバンパ３に設けられたグリル嵌入用の開口部に嵌入して取付けられている。ラジエータ５Ａは、ラジエータサポート５に支持された状態でラジエータグリル４の車両後方側に配されている。ラジエータサポート５は、たとえば全体の概略形状が正面視矩形枠状の部材であり、その内側にラジエータ５Ａが固定配置されている。
【００１７】
仕切り板部６は、ラジエータグリル４の最上部からラジエータサポート５の上面部上の位置まで延びるように設けられている。この仕切り板部６は、たとえばフロントバンパ３のフランジ部であり、より具体的には、フロントバンパ３の前部上端に一体的に繋がって車両後方に向けて延びた板状部分である。ただし、これに代えて、たとえばラジエータグリル４の最上部を車両後方側に延設し、かつこの延設部を仕切り板部６とすることもできる。
【００１８】
仕切り板部６は、ラジエータグリル４とラジエータ５Ａとの相互間の第１の空間部７Ａの上側を仕切っている。一方、仕切り板部６の上方には、フード２が位置し、かつこれらの相互間には、車両前後方向に延びた第２の空間部７Ｂが形成されている。車両走行時には、走行風（第２の走行風）がフード２とラジエータグリル４との割線部７０から第２の空間部７Ｂに進入し、かつこの第２の空間部７Ｂを通過した後には、ラジエータ５Ａよりも車両後方側に進行するようになっている。エンジンルーム１内のうち、ラジエータ５Ａよりも車両後方側には、エンジンＥに加え、その吸気系機器８Ａ、排気系機器８Ｂが設けられている。吸気系機器８Ａには、吸気口８０ａおよびエアクリーナ８０ｂを備えた吸気管８０が接続されている。
【００１９】
仕切り板部６は、既述したように、通風阻止部６ａおよび通風路形成部６ｂを備えている（図３も参照）。通風阻止部６ａは、第１の空間部７Ａに進入した第１の走行風が、ラジエータサポート５の上を越えて車両後方側に進行することを阻止する部分である。本実施形態においては、仕切り板部６の後端寄り領域のうち、ラジエータサポート５の上面部上に隙間のない、または殆どない状態で重ねられた部分が、通風阻止部６ａである。ラジエータサポート５に対する仕切り板部６の固定連結は、たとえばボルトなどのネジ部材９０を利用し、通風阻止部６ａをラジエータサポート５の上面部に締結することにより図られている。
【００２０】
通風路形成部６ｂは、通風路６０を形成する部分である。通風路６０は、第１の空間部７Ａに進入した第１の走行風の一部が、ラジエータサポート５の上を越えて車両後方側に
進行することを可能とする部位であり、ラジエータサポート５の上側に位置し、かつ車両後方側を向いて開口している。本実施形態においては、通風路形成部６ｂは、仕切り板部６の一部を、いわゆる上向き凸のビード状に形成した部分であり、この通風路形成部６ｂの上面部は、上向きに膨らんだ凸状面部６１であり、かつ下面部は、上向きに窪んだ凹状面部６２である。凹状面部６２の内側領域が、通風路６０である。この通風路６０の後端寄りの下面側は、ラジエータサポート５の上面により塞がれている。凸状面部６１は、第２の空間部７Ｂに面しており、仕切り板部６の他の部分よりも上側に突出した部分となっている。
【００２１】
図１に示すように、仕切り板部６の車幅方向中央部には、切欠き開口部６８が設けられているが、この切欠き開口部６８は、フード２の前部に取付けられたフードストライカ（不図示）を、ラジエータサポート５の前側上部に別途固定して設けられたロック機構（不図示）に係止可能とする部位である。この切欠き開口部６８は、仕切り板部６に単に切欠き状に形成されただけの部位であり、ラジエータサポート５の上側において車両後方側を向いて開口する部位ではないため、本発明でいう「通風路」には相当しない。本実施形態においては、切欠き開口部６８を挟んで車幅方向に左右一対の通風路形成部６ｂが設けられている。ビード状の通風路形成部６ｂを切欠き開口部６８に接近して設ければ、切欠き開口部６８の形成箇所近辺を補強する効果も得られる。
【００２２】
次に、前記したエンジンルーム冷却構造Ａの作用について説明する。
【００２３】
まず、車両Ｖの走行時には、車両前方から第１の走行風が、ラジエータグリル４を介して第１の空間部７Ａに進入する。第１の空間部７Ａの上側は、仕切り板部６によって仕切られ、かつ通風阻止部６ａが設けられているため、ラジエータ５Ａには前記第1の走行風を不足のない状態で送り込ませることが可能である。
【００２４】
一方、第１の空間部７Ａに進入した第１の走行風の一部は、ラジエータ５Ａを通過することなく、通風路６０を通過する。ラジエータ５Ａは、第１の走行風に対する抵抗となり、第１の空間部７Ａの風圧は高い状態となるため、第１の走行風の一部は、通風路６０に円滑に流入する。ここで、通風路６０は、ラジエータサポート５の上側に位置し、かつ車両後方側を向いて開口しているため、通風路６０を通過した第１の走行風については、ラジエータ５Ａを通過した空気と比較して、より車両後方側の領域に届かせることが可能である。通風路６０を通過する第１の走行風は、ラジエータ５Ａを通過していないため、ラジエータ５Ａを通過した空気よりも低温である。このようなことから、ラジエータ５Ａを通過した空気のみでは冷却が不十分な箇所を、通風路６０を通過した第１の走行風を利用して効率よく、かつ適切に冷却することが可能である。
【００２５】
具体的には、通風路６０から、たとえば吸気口８０ａの周辺部に第１の走行風を進行させ、これを吸気口８０ａに吸気させることが可能である。また、吸気系機器８Ａや排気系機器８Ｂに、前記した第１の走行風を作用させることも可能である。したがって、エンジンＥの吸気温度の低下による燃費の向上を図ったり、各部の熱害を防止するといったことが可能となる。
【００２６】
割線部７０から第２の空間部７Ｂ内に進入した第２の走行風は、この第２の空間部７Ｂを通過し、エンジンルーム１内の車両後方側に向けて進行する。この第２の走行風は、通風路６０を通過した第１の走行風と同様に、ラジエータ５Ａを通過していないため、温度が低めであり、冷却作用に優れる。また、第２の空間部７Ｂは、通風路６０よりもさらに高い位置にあるため、通風路６０を通過した第１の走行風よりも、エンジンルーム１内のさらに車両後方側の領域に第２の走行風を届かせることも可能である。したがって、エンジンルーム１内の広い領域を、より適切に冷却することが可能である。
【００２７】
通風路形成部６ｂの上向きに膨らんだ凸状面部６１は、第２の空間部７Ｂに面している。このため、第２の走行風のうち、この凸状面部６１に沿って流れる走行風の進行方向などを、この凸状面部６１の形状や向きなどによってコントロールすることが可能である。また、第１の走行風の一部は、既述したように、通風路６０を通過するが、この通風路６０は、通風路形成部６ｂの凹状面部６２の内側領域であるため、この凹状面部６２の形状や向きなどによってコントロールすることが可能である。したがって、冷却がとくに必要とされる箇所に、第１の走行風および第２の走行風の双方または一方を集中的に作用させるといったことも容易に実現することができる。本実施形態においては、通風路６０を形成するための通風路形成部６ｂを、第２の走行風のコントロールにも用いることができるため、その構成は合理的である。
【００２８】
本発明は、上述した実施形態の内容に限定されない。本発明に係るエンジンルーム冷却構造の各部の具体的な構成は、本発明の意図する範囲内において種々に設計変更自在である。
【００２９】
仕切り板部の通風阻止部は、要は、ラジエータグリルから第１の空間部に進入した第１の走行風がラジエータサポートの上を越えて車両後方側（車両斜め後方を含む概念である）に進行することを阻止する構成であればよい。したがって、通風阻止部は、上述した実施形態のように、ラジエータサポートの上面部に重なられた状態に設けられた構成に代えて、たとえばラジエータサポートの上部の前面部に接合された構成、またはこれに類する構成とすることもできる。
【００３０】
仕切り板部の通風路形成部は、要は、第１の空間部に進入した第１の走行風の一部がラジエータサポートの上を越えて車両後方側に進行することを可能とする通風路を、ラジエータサポートの上側において車両後方側を向いて開口した状態に形成する構成であればよい。したがって、上向き凸のビード状とは別の形態とすることも可能である。実際的ではないが、通風路の形成手段としては、たとえばラジエータサポートの上面部に凹部を形成し、かつこの凹部の上面を仕切り板部によって覆うことにより、この凹部を通風路とする手段を採用することも可能である。この場合には、前記凹部を覆う部分が、本発明でいう通風路形成部となる。
通風路の具体的な形状、サイズ、数、配置なども限定されない。
【００３１】
仕切り板部は、好ましくは、上述の実施形態のように、ラジエータグリルの最上部とラジエータサポートの最上部とを繋ぐように設けられるが、やはりこれに限定されない。ラジエータグリルおよびラジエータサポートのそれぞれの最上部以外の上部どうしを繋ぐように設けられていてもよい。
【符号の説明】
【００３２】
Ａ  エンジンルーム冷却構造
１  エンジンルーム
２  フード
３  フロントバンパ
４  ラジエータグリル
５  ラジエータサポート
５Ａ  ラジエータ
６  仕切り板部
６ａ  通風阻止部
６ｂ  通風路形成部
６０  通風路
６１  凸状面部
６２  凹状面部
７Ａ  第１の空間部
７Ｂ  第２の空間部
【図１】
2019064380.tif 000003
【図２】
2019064380.tif 000004
【図３】
2019064380.tif 000005